(57)【要約】      （修正有）【課題】木構造部材が直角に接合する部位の木部を仕口のほぞ加工無しで互に固定すべき位置に正確に固定し、接合面を圧接し強固に接合出来、組み付け作業が容易に出来る木材圧接合金物を提供する。【解決手段】木構造部材ＡとＢが直角に接合する部位の木部を仕口のほぞ加工をせずに木部の接合部位に構成される直角面にボルトで装着する金物に於いて、直角を構成する一片の穴に垂直に外方に突出する棒鋼又は鋼管３を溶接で一体とし、他片に垂直で鋼管３を貫通するねじ穴３２を設ける。部材Ｂのボルト穴Ｂ１と部材Ａの穴Ａ２を通り前記ねじ穴３２にボルト４をねじ込み且つ他面に設けたねじ穴１４に木部Ｂの貫通孔Ｂ２にボルト５を挿入しねじ込みボルト４と５を対応のねじ穴に締め込めば部材ＡとＢは接合し、ボルトを強く締めればＡとＢは更に強く接合する。【選択図】図１
0003208046.tif 000002
【実用新案登録請求の範囲】
【請求項１】
木材の接合部位に構成される直角面に締結具ボルト（以下ボルト）により装着される二片からなる直角山形鋼で構成される木材圧接合金物（以下金物）にあって一片１１を垂直に貫通する穴１３と他片１２を垂直に貫通するねじ穴１４とを設け、穴１３に嵌合し垂直に外方向に突出する鋼棒又は鋼管３を内側面で溶接一体化し、該突出の鋼管又は鋼棒３を垂直に貫通し、軸芯が他片１２に垂直なねじ穴３２を設けた金物１。
【請求項２】
前項１の金物１を木構造部材Ａの仕口と他方の部材Ｂの側面で形成する直角面に嵌合させ、締結具ボルト４と５で接合させるに、木構造部材Ｂの側面を貫通する貫通孔Ｂ１及び部材Ａに仕口から縦方向に設けた縦穴Ａ２を通ってＡの側面に掘った横穴Ａ１にボルト４を挿入させ、鋼管３の貫通ねじ穴３２に嵌合させねじ込ませる。他方ボルト５をＢのボルト穴Ｂ２を通って金物のねじ穴１４と嵌合させ、ねじ込ませる。ボルト４と５を更にねじ込む事で部材ＡとＢとは更に強く接合する事が可能となる。
これ等ボルト４と５は何れも平行で同方向にねじ込まれる事を特徴とし、部材ＡとＢ及びボルトと金物を上述の如き状態にする事に依って圧接合が可能となる金物と部材との組付け構成。
【請求項３】
請求項１及び請求項２に於ける木構造部材の仕口と相手部材の側面とを強く接合する事を可能とする金物とボルトを使用し、木構造部材に於いて梁と梁又は土台と土台を仕口の突き合わせ部で柱と強い圧接を可能とする請求項２をダブル接合とした金物と部材との組み付け構成。
【考案の詳細な説明】
【技術分野】
【０００１】本考案は、木造建物や木造構築物等の軸組補強のために、例えば、柱と梁や柱と土台又は梁と梁又は土台と土台の組付けに於いて圧接合を可能とする木材圧接合金物及び柱と横架材との接合構造に関するものである。
【背景技術】
【０００２】従来木造の建築や構造物には、接合する部位をほぞ加工するか又は切り込みをして相互を嵌合させ組立てたりし、又は接合金物を使用しほぞ加工無しで鋼板を当て金としてボルト、ナット又はネジや釘等で接合部を補強する方法があり公知である。【０００３】これ等の公知例は次項の文献等で拝見するに何れも接合面を安定させ保持させる方式である。
【先行技術文献】
【特許文献】
【０００４】
【特許文献１】  特開２００１−２９５３７５号公報
【０００５】
【特許文献２】  特開２０１１−１７２１１号公報
【０００６】
【特許文献３】  実用新案登録第３１１０３５６号公報
【０００７】
【特許文献４】  実用案登録第３１０９７５７号公報
【考案の概要】
【考案が解決しようとする課題】
【０００８】  以上に述べた従来の接合金物は接合面の保持や垂直に接合する角度の保持等を主体とした接合金物であり、その為に面積の確保や釘やボルトナット等を多く必要としている。【０００９】  本考案は、この様な従来例の場合に足りない接合強度に着目し、問題を解決しようとする物であり、接合金物をシンプル化し且つ組付けボルト数を減らす等で作業性を単純化し且つ、且つ、部材の接合面を圧接合出来る木材圧接合金物及び柱と横架材との接合構造と方式を提供する事を目的とするものである。
【課題を解決するための手段】
【００１０】  本考案は上記目的を達成するために一方の部材Ａの仕口と他方の部材Ｂの面部を相互に圧接可能とする二片で直角アングルを形成する山形鋼をベースとした接合金物に於いて、一片に垂直に貫通するねじ穴１４と他片に垂直に貫通する穴１３を設け、この穴１３に外方に垂直に突き出る棒鋼又は鋼管３を貫通させて内側面にて溶接し、且つ、該棒鋼又は鋼管３に他片に垂直なねじ穴３２を貫通させて構成する。【００１１】  木構造部材ＡとＢが直角に接合する部位に構成される直角面に前項の接合金物１を次の手順にて組み付ける。即ち、部材Ａに設けた穴Ａ１に金物１の突出部３を挿入し、金物１の他面に設けたねじ穴１４と部材Ｂを貫通するボルト穴Ｂ２とを合致させる。次にボルト４をボルト貫通穴Ｂ１と部材Ａの穴Ａ２を通し３のねじ穴３２にねじ込む。同様にボルト５をボルトの貫通穴Ｂ２を通して金物１のねじ穴１４にねじ込む。
以上でほぞ加工の手間を掛けずに僅かな手数で部材ＡとＢを接合金物で直角に組み付けが出来、ボルト４と５をねじ込めば部材ＡとＢは強く接合する事が可能になる。【００１２】  本考案の木材圧接合金物（以下金物）の機能を発揮させるには接合する木材構造部材と金物との組付け構成が正常になされる必要条件が有る。即ち、部材Ａの側面に垂直な横穴Ａ１を堀り、且つＡの仕口から先端方向に垂直な穴Ａ２を横穴Ａ１を貫通して掘る。一方、部材Ｂの側面を貫通するボルト穴Ｂ１とＢ２を開ける。【００１３】  部材Ａの仕口と部材Ｂの面を接合し穴Ａ２とＢ１を合致させ直角面を構成させ、その面に金物１の突出部３をＡに堀つた穴Ａ１に挿入させ締結具ボルト４を穴Ｂ１に、ボルト５を穴Ｂ２に相互に平行に且つ、同じ方向に挿入させれば部材で構成する直角面に金物１の組付けが出来、ボルト４と５をねじ締めすれば部材ＡとＢは接合出来、強く締めれば圧接合になり強固に接合出来る。【００１４】  図５で示す様に本考案の木材圧接合金物を使用する柱と横架材との接合構造を採用すれば、例えば従来難しかった梁と梁又は土台と土台の夫々の仕口を突き合わせて柱に接合させる事も可能になる。
【考案の効果】
【００１５】  上述した様に本考案の木材圧接合金物と柱と横架材との接合構造を採用すればほぞ加工などの様に手間を掛けずに木材組付けに際し直角に強固な圧接合が出来るから経費の節減が可能となり、人件費の削減や日曜大工で建築や木造構築物の建設も容易に出来る可能性もある。【００１６】地震などに耐える現在より強固な木造建築がより安価に出来れば、再建にも役立つであろう。
【図面の簡単な説明】
【００１７】
【図１】  本考案の実施形態を示す木材圧接合金物を木構造部材ＡとＢにボルトで組み付けた分断面図
【図２】  接合金物の側面図
【図３】  接合金物の平面図
【図４】  接合金物の斜視図
【図５】  梁又は土台夫々の仕口を突き合わせ接合金物で１本の柱に接合した断面図
【考案を実施するための形態】
【００１８】以下、本考案の実施の形態を図１〜図５に基ずいて説明する。
【００１９】  図１は本考案の木材圧接合金物１と木構造部材ＡとＢの組み付け図で木構造部材Ａの仕口とＢの接合面を直角に接合させ構成された直角面に接合金物１をあてがい、金物１の突出部３を部材Ａの横穴Ａ１に挿入させ、同時に金物１の他片のねじ穴１４と部材Ｂを貫通するボルト孔Ｂ２を合わせれば、Ｂの貫通孔Ｂ１とＡの穴Ａ２が合致し同時に突出部３を垂直に貫通するねじ穴３２とも軸芯が合致する。
【００２０】  ボルト４をＢの貫通孔Ｂ１に挿入さればボルト４は貫通孔Ｂ１とＡの穴Ａ２を通り３のねじ穴３２と嵌合する。一方ボルト５をＢをボルト貫通孔Ｂ２に挿入しねじ穴２２に合致させる。
ボルト４と５夫々のねじ穴３２と１４とにねじ込めば木構造部材ＡとＢとを直角に圧接合金物１で組み付けが出来る。
【００２１】ボルト４と５を強くねじ締めすれば木構造部材ＡとＢとは強く圧接合する事になる。
【００２２】ボルト４と５を平行に且つ、同じ方向にねじ締めが出来る構成により木構造部材ＡとＢを圧接合可能とする。
【００２３】図２及び図３は本考案の木材圧接合金物の本体で側面図と平面図で示す。
２片の平面でなる直角山形鋼を構成し、２片夫々の面に垂直な穴１３とねじ穴１４を設け、一片の穴１３に嵌合させ外側に突出した棒鋼又は鋼管３を内側での溶接で一体化し、３を垂直に貫通し他片に垂直なねじ穴３２を設ける。
【００２４】図４は本体の斜視図
【００２５】  図５は梁又は土台夫々の仕口を突き合わせて接合金物で１本の柱に接合する実施例の断面図で、この様な構成で部材を接合する事は珍しい事であるが、本考案の圧接合金物を組立に使用すれば可能はあり、今後は木造構築物に於いて注目されるかも知れない方法である。
【符号の説明】
【００２６】１    木材圧接合金物の本体
３    本体の一片に垂直に外方に突出した棒鋼又は鋼管
４    締結具ボルト
５    締結具ボルト
１１  本体構成の一片
１２  本体構成の他片
１３  １１に開けた穴
１４  １２に開けたねじ穴
３２  ３に開けた貫通ねじ
Ａ    部材
Ａ１  部材Ａに開けた横穴（３の挿入穴）
Ａ２  部材Ａに開けたボルト用穴
Ｂ    部材
Ｂ１  部材Ｂを貫通するボルト穴（ボルト４用）
Ｂ２  部材Ｂを貫通するボルト穴（ボルト５用）
Ｃ    部材と金物をダブル構成とする場合の当て鋼板
【図１】
0003208046.tif 000003
【図２】
0003208046.tif 000004
【図３】
0003208046.tif 000005
【図４】
0003208046.tif 000006
【図５】
0003208046.tif 000007
【手続補正書】
【提出日】平成28年7月27日(2016.7.27)
【手続補正１】
【補正対象書類名】実用新案登録請求の範囲
【補正対象項目名】全文
【補正方法】変更
【補正の内容】
【実用新案登録請求の範囲】
【請求項１】
木材の接合部位に構成される直角面に締結具ボルトにより装着される二片からなる直角山形鋼で構成される木材圧接合金物にあって一片１１を垂直に貫通する穴１３と他片１２を垂直に貫通するねじ穴１４とを設け、穴１３に嵌合し垂直に外方向に突出する鋼管又は鋼棒３を垂直に貫通し、軸芯が他片１２に垂直なねじ穴３２をもうけた木材圧接合金物。
【請求項２】
所定の接合強度を有する垂直材の端面と横架材の一側面とをＬ字状又はＴ字状に接合し木構造部材を形成するに当たり垂直材に直角面構成の内側面に垂直に横穴を開け、該穴を貫通する垂直方向に締結具ボルト貫通穴を接合する端面から開け他方の横架材の接合平面に垂直に貫通する締結具ボルト貫通穴２個を開け、該木構造部材の接合にて形成される直角構成面に請求項１記載の金物の外側面を添接させ、木構造部材の横架材外側面から締結具長ボルトを木構造部材の横架材外面から締結具ボルト貫通穴と垂直材の締結具ボルト用竪穴を通し垂直材の横穴に差し込まれた金物の突出鋼棒又は鋼管３のねじ穴３２に締め込み、他方締結具短ボルトを横架材を貫通する締結具ボルト貫通穴を通して金物のねじ穴１４に締め込み形成される木構造部材に於いて締結具ボルトの締め付けにより接合部の強度を強く出来且つ、木構造部材の切り込み等の手間を省略可能とする木材圧接合構造。
【手続補正書】
【提出日】平成28年9月29日(2016.9.29)
【手続補正１】
【補正対象書類名】実用新案登録請求の範囲
【補正対象項目名】全文
【補正方法】変更
【補正の内容】
【実用新案登録請求の範囲】
【請求項１】
木材の接合部位に構成される直角面に締結具ボルトにより装着される二片からなる直角山形鋼で構成される木材圧接合金物にあって一片１１を垂直に貫通する穴１３と他片１２を垂直に貫通するねじ穴１４とを設け、穴１３に嵌合し垂直に外方向に突出する鋼管又は鋼棒３を垂直に貫通し、軸芯が他片１２に垂直なねじ穴３２をもうけた木材圧接合金物。
【請求項２】
所定の接合強度を有する垂直材の端面と横架材の一側面とをＬ字状又はＴ字状に接合し木構造部材を形成するに当たり垂直材に直角面構成の内側面に垂直に横穴を開け、該穴を貫通する垂直方向に締結具ボルト貫通穴を接合する端面から開け他方の横架材の接合平面に垂直に貫通する締結具ボルト貫通穴２個を開け、該木構造部材の接合にて形成される直角構成面に請求項１記載の金物の外側面を添接させ、木構造部材の横架材外側面から締結具長ボルトを木構造部材の横架材外面から締結具ボルト貫通穴と締結具ボルト貫通穴を通し垂直材の横穴に差し込まれた金物の突出鋼棒又は鋼管３のねじ穴３２に締め込み、他方締結具短ボルトを横架材を貫通する締結具ボルト貫通穴を通して金物のねじ穴１４に締め込み形成される木構造部材に於いて締結具ボルトの締め付けにより接合部の強度を強く出来且つ、木構造部材の切り込み等の手間を省略可能とする木材圧接合構造。